(57)【要約】【課題】  高精度な信号の補正を実現する。【解決手段】  映像又は画像から得られる輝度信号及び２つの色差信号により前記映像又は画像の補正を行う信号補正装置において、前記輝度信号及び２つの色差信号を三原色値に変換する三原色値変換部と、前記三原色値を所定画素数分遅延させる遅延部と、前記遅延部により得られる三原色値から所定の画素の三原色値を予測する三原色値予測部と、前記三原色値予測部により得られる予測値と、前記三原色値変換部により得られる三原色値とを比較評価する比較評価部とを有することにより、上記課題を解決する。【選択図】        図１
2006325154.tif 000002
【特許請求の範囲】
【請求項１】
映像又は画像から得られる輝度信号及び２つの色差信号により前記映像又は画像の補正を行う信号補正装置において、
前記輝度信号及び２つの色差信号を三原色値に変換する三原色値変換部と、
前記三原色値を所定画素数分遅延させる遅延部と、
前記遅延部により得られる三原色値から所定の画素の三原色値を予測する三原色値予測部と、
前記三原色値予測部により得られる予測値と、前記三原色値変換部により得られる三原色値とを比較評価する比較評価部とを有することを特徴とする信号補正装置。
【請求項２】
前記三原色値予測部は、
前記輝度信号及び２つの色差信号のうち、少なくとも１つの信号を基準として、基準信号の変化量から三原色空間上における前記所定の画素の三原色値を予測することを特徴とする請求項１に記載の信号補正装置。
【請求項３】
前記三原色値予測部は、
前記輝度信号を基準として三原色値を予測し、
前記比較評価部は、
前記三原色値予測部により得られる三原色値に基づいて前記２つの色差信号を補正することを特徴とする請求項１又は２に記載の信号補正装置。
【請求項４】
前記比較評価部は、
比較対象の画素間における輝度差分量に基づいて、前記予測値又は前記三原色値を出力することを特徴とする請求項１乃至３の何れか１項に記載の信号補正装置。
【請求項５】
前記比較評価部は、
最小弁別閾に基づいて許容誤差範囲を設定し、前記輝度差分量と前記許容誤差範囲とを比較して、前記許容誤差範囲内である場合に前記予測値を出力することを特徴とする請求項４に記載の信号補正装置。
【請求項６】
前記請求項１乃至前記請求項５の何れか１項に記載の信号補正装置を有する受信装置。
【請求項７】
映像又は画像から得られる輝度信号及び２つの色差信号により前記映像又は画像の補正を行う信号補正処理をコンピュータに実行させるための信号補正プログラムにおいて、
前記輝度信号及び２つの色差信号を三原色値に変換する三原色値変換処理と、
前記三原色値を所定画素数分遅延させる遅延処理と、
前記遅延処理により得られる三原色値から所定の画素の三原色値を予測する三原色値予測処理と、
前記三原色値予測処理により得られる予測値と、前記三原色値変換処理により得られる三原色値とを比較評価する比較評価処理とをコンピュータに実行させるための信号補正プログラム。
【発明の詳細な説明】
【技術分野】
【０００１】
本発明は、信号補正装置、該信号補正装置を有する受信装置、及び信号補正プログラムに係り、特に高精度な信号の補正を実現するための信号補正装置、該信号補正装置を有する受信装置、及び信号補正プログラムに関する。
【背景技術】
【０００２】
従来、映像の符号化やフィルター処理に代表されるデジタル画像処理では、輝度信号、色差信号からなる映像信号を対象として画像処理が行われる。また、本来は色の三原色（赤（Ｒ）、青（Ｂ）、緑（Ｇ））の組み合わせによって表現され、人間の視覚は三原色の組み合わせによって感度が異なることが知られている。
【０００３】
このような感度の違いから、画像処理を行うにあたり三原色によって表現される画素情報を、最も視覚的に感度が高い輝度軸と、二つの色差軸とに変換し、変換したそれぞれの情報に重み付けを行う手法が行われている。
【０００４】
特に、輝度と色差信号に対する視覚感度の違いは積極的に利用され、一般的な映像信号の高画質フォーマットにおいても色差信号の帯域を抑制した４：２：２フォーマットと呼ばれる映像信号を用いられており、画像処理の基となる信号として使用されている（例えば、非特許文献１，非特許文献２参照。）。なお、上述した４：２：２フォーマットとは、一般にテレビ画面は走査線上に並ぶ画素によって画像が構成され、画素は画像の明るさを表す輝度信号Ｙと、画像の色を表す２つの色差信号Ｃｂ，Ｃｒで構成されている。このとき、上述したＹ，Ｃｂ，Ｃｒの３つの成分の比率を４：２：２という形式で表したものである。
【０００５】
また、ＭＰＥＧ−２（Ｍｏｔｉｏｎ  Ｐｉｃｔｕｒｅ  Ｅｘｐｅｒｔｓ  Ｇｒｏｕｐ−２）やＤＶ（Ｄｉｇｉｔａｌ  Ｖｉｄｅｏ）規格に代表される符号化方式では、色差信号の情報を更に帯域抑制した４：２：０フォーマットや、４：１：１フォーマットと呼ばれる映像信号も用いられる。これは、人間の目は輝度信号に敏感であり、人間の視覚特性上、輝度信号と比較して色差信号はあまり大きな影響を受けないため、色差信号の情報を減らして符号化効率を向上させるために用いられている。
【０００６】
なお、従来技術として、符号化処理における信号劣化によって発生したブロックノイズ等の劣化要素を低減するために、復号された信号に対してぼかし処理等を実現するフィルターにより、画像に補正処理を行う技術がある（例えば、特許文献１参照。）。
【非特許文献１】インプレス標準教科書シリーズ，「Ｈ．２６４／ＡＶＣ教科書」，ｐ．４０．
【非特許文献２】共立出版，「デジタル放送・インターネットのための情報圧縮技術」，ｐｐ.９−１０．
【特許文献１】特開平１０−１９１３３２号公報
【発明の開示】
【発明が解決しようとする課題】
【０００７】
ところで、従来の画像処理では、輝度信号と色差信号とが独立して処理が行われる。そのため、非可逆な画像処理の場合には復号映像において輝度信号と色差信号のそれぞれの劣化の程度が異なることになる。
【０００８】
更に、人間の視覚特性は、個々に異なる色を知覚した時の弁別感度は高くないが、隣接する色の違いに対する感度は高いことが知られている。したがって、上述したように非可逆な画像処理によって輝度信号と色差信号とが個々に劣化を生じると、各信号成分の劣化程度が異なるため、映像の品質が悪化してしまう。
【０００９】
例えば、境界部分における各信号の劣化程度のばらつきは、輝度信号によって形成された境界と、色差信号によって形成された境界とが個々の劣化によって一致せず、境界をまたいで色がにじむような現象等が発生しやすい。このような劣化は、特に高圧縮を目的とした符号化処理で顕著に発生してしまう。
【００１０】
また、特許文献１に示されている補正処理は、信号の急激な変化を鈍らせる処理であり、輝度信号と色差信号の各信号間で独立に処理が行われる。つまり、上述した補正処理は、輝度信号と、色差信号とが個々にフィルター処理を行うものであり、輝度信号と色差信号とを統合して処理を行うことはない。したがって、上述したように画像処理により個々の信号で異なる変化を生じてしまい、結果として画像が劣化するという問題が生じてしまう。
【００１１】
本発明は、上述した問題点に鑑みなされたものであり、高精度な信号の補正を実現するための信号補正装置、該信号補正装置を有する受信装置、及び信号補正プログラムを提供することを目的とする。
【課題を解決するための手段】
【００１２】
上記課題を解決するために、本件発明は、以下の特徴を有する課題を解決するための手段を採用している。
【００１３】
請求項１に記載された発明は、映像又は画像から得られる輝度信号及び２つの色差信号により前記映像又は画像の補正を行う信号補正装置において、前記輝度信号及び２つの色差信号を三原色値に変換する三原色値変換部と、前記三原色値を所定画素数分遅延させる遅延部と、前記遅延部により得られる三原色値から所定の画素の三原色値を予測する三原色値予測部と、前記三原色値予測部により得られる予測値と、前記三原色値変換部により得られる三原色値とを比較評価する比較評価部とを有することを特徴とする。
【００１４】
請求項１記載の発明によれば、映像又は画像に対して高精度な信号の補正を実現することができる。これにより、デジタル符号化方式において、基準とする１つの信号から他の２つの信号の品質を向上させることができる。
【００１５】
請求項２に記載された発明は、前記三原色値予測部は、前記輝度信号及び２つの色差信号のうち、少なくとも１つの信号を基準として、基準信号の変化量から三原色空間上における前記所定の画素の三原色値を予測することを特徴とする。
【００１６】
請求項２記載の発明によれば、輝度及び２つの色差のうち少なくとも１つの軸と、三原色空間上における原点と三原色値とを通る直線との関係から所定の画素の三原色値を高精度に予測することができる。
【００１７】
請求項３に記載された発明は、前記三原色値予測部は、前記輝度信号を基準として三原色値を予測し、前記比較評価部は、前記三原色値予測部により得られる前記三原色値に基づいて前記２つの色差信号を補正することを特徴とする。
【００１８】
請求項３記載の発明によれば、色差信号の品質を向上させることができる。特に、現在広く普及しているデジタル符号化方式による映像伝送方式において、ある程度の劣化が許容されている色差信号の品質を向上させることができる。
【００１９】
請求項４に記載された発明は、前記比較評価部は、比較対象の画素間における輝度差分量に基づいて、前記予測値又は前記三原色値を出力することを特徴とする。
【００２０】
請求項４記載の発明によれば、通常の符号化方式で誤差が少なく符号化されている輝度信号の差分量に基づいて、輝度信号よりも誤差が大きく符号化されている色差信号を高精度に補正することができる。
【００２１】
請求項５に記載された発明は、前記比較評価部は、最小弁別閾に基づいて許容誤差範囲を設定し、前記輝度差分量と前記許容誤差範囲とを比較して、前記許容誤差範囲内である場合に前記予測値を出力することを特徴とする。
【００２２】
請求項５記載の発明によれば、三原色比の変化が少なくなるように画素値を補正することができる。これにより、高精度な信号の補正を実現することができる。
【００２３】
請求項６に記載された発明は、前記請求項１乃至前記請求項５の何れか１項に記載の信号補正装置を有する受信装置である。
【００２４】
請求項６記載の発明によれば、受信装置において、映像又は画像に対して高精度な信号の補正を実現することができる。これにより、デジタル符号化方式における色差信号の品質を向上させることができる。
【００２５】
請求項７に記載された発明は、映像又は画像から得られる輝度信号及び２つの色差信号により前記映像又は画像の補正を行う信号補正処理をコンピュータに実行させるための信号補正プログラムにおいて、前記輝度信号及び２つの色差信号を三原色値に変換する三原色値変換処理と、前記三原色値を所定画素数分遅延させる遅延処理と、前記遅延処理により得られる三原色値から所定の画素の三原色値を予測する三原色値予測処理と、前記三原色値予測処理により得られる予測値と、前記三原色値変換処理により得られる三原色値とを比較評価する比較評価処理とをコンピュータに実行させる。
【００２６】
請求項７記載の発明によれば、映像又は画像に対して高精度な信号の補正を実現することができる。これにより、デジタル符号化方式において、基準とする１つの信号から他の２つの信号の品質を向上させることができる。また、実行プログラムをコンピュータにインストールすることにより、容易に本発明における信号補正処理を実現することができる。
【発明の効果】
【００２７】
本発明によれば、高精度な信号の補正を実現することができる。
【発明を実施するための最良の形態】
【００２８】
＜本発明の概要＞
本発明は、輝度信号及び色差信号で表現される映像信号又は画像信号を三原色信号に変換し、三原色空間において、その統計的性質を利用し、三原色値を用いて補正を行う。
【００２９】
具体的に説明すると、一般的に映像信号又は画像信号は、撮影機器において光を赤（Ｒ）、青（Ｂ）、緑（Ｇ）の三原色の強度を測定し、記録のために輝度信号（Ｙ）及び２つの色差信号（Ｃｒ，Ｃｂ）の伝送用の三原色に変換される。なお、本発明では、三原色とは色の三原色Ｒ，Ｇ，Ｂのことをいう。また、一般的に自然画像では、統計的な性質として隣接する画素の画素値は非常に近いことが知られている（例えば、オーム社，「先端技術の手ほどきシリーズ  画像情報圧縮」，ｐｐ．７５−７７参照。）。なお、このような性質は、ＤＰＣＭ（Ｄｉｆｆｅｒｅｎｔｉａｌ  Ｐｕｌｓｅ  Ｃｏｄｅ  Ｍｏｄｕｌａｔｉｏｎ）や、ＭＰＥＧ等の符号化技術では積極的に利用されているが、輝度信号もしくは色差信号の個々の信号について利用されているのみである。
【００３０】
ここで、上述した輝度信号及び色差信号は、三原色信号と１対１の対応関係であるため、同様の性質が三原色信号についてもいえる。したがって、本発明は、上述した隣接画素等の所定の画素の統計的性質を用いて輝度信号及び２つの色差信号を三原色信号に変換し、画素間の三原色比の変化が少なくなるように画素値を補正することによって映像信号又は画像信号を補正する。
【００３１】
以下に、上述したような特徴を有する本発明における信号補正装置、該信号補正装置を有する受信装置、及び信号補正プログラムを好適に実施した形態について、図面を用いて詳細に説明する。なお、後述する信号補正装置においては、例えば通信ネットワーク等の伝送路を介して受信装置側で受信した符号化された映像信号又は画像信号を復号して得られる輝度信号及び色差信号（ＹＣ信号）の補正を行う信号補正装置について説明する。
【００３２】
＜実施例＞
図１は、本発明における信号補正装置の一構成例を示す図である。図１に示す信号補正装置１０は、ＹＣ−ＲＧＢ変換部１１と、遅延部１２と、ＲＧＢ予測部１３と、比較評価部１４とを有するよう構成されている。
【００３３】
信号補正装置１０は、ＹＣ信号をＹＣ−ＲＧＢ変換部１１で入力する。ＹＣ−ＲＧＢ変換部１１は、入力したＹＣ信号から画素毎に三原色（ＲＧＢ）信号に変換する。
【００３４】
なお、ＹＣ−ＲＧＢ変換部１１は、本発明により補正された最終的な映像や画像信号を表示装置の制約等に応じて、帯域拡張フィルター等により例えばＹＣ信号の帯域を４：４：４に拡張してからＲＧＢ変換を行うようにしてもよい。
【００３５】
これは、入力されるＹＣ信号では、上述したように４：２：２や４：２：０等のフォーマット形式としていたが、ＲＧＢ信号では、Ｒ，Ｇ，Ｂのそれぞれの信号にそれほど大きな差がないため、各信号成分の比率を均一にするためにＹＣ信号の帯域を４：４：４フォーマットに拡張した後に変換を行う。これにより、ＲＧＢ信号に高精度に変換することができる。
【００３６】
なお、ＹＣ信号からＲＧＢ信号への変換手法は、特に限定されるものではないが、例えば、「ＩＴＲ−Ｕ勧告．６０１／７０９」等、素材となる画像に応じて適切な変換方式を用いて変換を行う。また、ＹＣ−ＲＧＢ変換部１１は、変換されたＲＧＢ信号を遅延部１２及び比較評価部１４に出力する。
【００３７】
遅延部１２は、ＹＣ−ＲＧＢ変換部１１より得られるＲＧＢ信号における画素情報を所定の画素数分遅延する。なお、本実施例においては、遅延部１２により１画素分遅延させているが、本発明においてはこれに限定されるものではなく、後述する比較評価部１４において、どの画素間で比較評価を行うかにより所定画素数分の遅延を行う。つまり、遅延部１２は、少なくとも１画素分の遅延を行う。また、遅延部１２は、遅延させた画素情報をＲＧＢ予測部１３に出力する。
【００３８】
ＲＧＢ予測部１３は、遅延部１２により得られる画素毎のＲＧＢ信号に基づいて所定の画素（本実施例においては、隣接画素）のＲＧＢ値を予測する。なお、ＲＧＢ値の具体的な予測例については後述する。ＲＧＢ予測部１３は、予測したＲＧＢ値を比較評価部１４に出力する。比較評価部１４は、ＲＧＢ予測部１３により得られるＲＧＢ値とＹＣ−ＲＧＢ変換部１１により得られる実際のＲＧＢ値（三原色値）とを用いて比較評価し信号の補正を行う。なお、本実施例では、遅延部１２により１画素分遅延しているため、比較評価部１４により評価される画素は、予測値の算出に用いられた画素よりも１画素分後の画素、つまり水平隣接画素の三原色値となる。
【００３９】
また、比較評価部１４は、比較評価した結果、ＲＧＢ予測部１３により得られる予測したＲＧＢ値（予測値）、又は実際のＲＧＢ値（三原色値）の何れか一方を出力する。
【００４０】
＜ＲＧＢ値の具体的な予測例＞
次に、上述したＲＧＢ予測部１３におけるＲＧＢ値の予測例について、具体的に説明する。図２は、ＲＧＢ空間上の画素値と輝度軸との関係の一例を示す図である。また、図３は、ＲＧＢ空間上の画素値の変化量を説明するための一例の図である。
【００４１】
まず、ＹＣ−ＲＧＢ変換部１１により入力された映像又は画像から得られる現在の画素におけるＲＧＢ値を（Ｒ，Ｇ，Ｂ）とする。ここで、比較対象となる隣接画素のＲＧＢ値は、図２においてＲＧＢ空間上の原点（０，０，０）及び上述した（Ｒ，Ｇ，Ｂ）の２点を通る直線ｌ上もしくは直線ｌの近くに位置すると予測できる。ここで、上述した直線ｌは、以下に示す（１）式（直線の方程式）によって表現される。
【００４２】
【数１】
2006325154.tif 000003
なお、（１）式において、ｔは媒体変数を示す。
【００４３】
一方、図２において、輝度信号であるＹ軸は、ＲＧＢ空間上では、従来の規格（例えば、標準テレビ放送用の規格［ＢＴ．６０１］，ハイビジョン放送用の規格［ＢＴ．７０９］）に基づく方向ベクトルｖ＝（１，１，１）の直線であり、原点（０，０，０）を通る直線である。
【００４４】
ところで、上述したように隣接画素は略同じ色を有し、ＲＧＢ値の各成分比は略等しく、また輝度信号は色差信号より多くの原画信号の性質を残す傾向がある。また、上述したように輝度信号Ｙは、色差信号Ｃｂ、Ｃｒと比較して視覚上の影響が大きい。以上のことから、ＹＣｂＣｒ軸の三次元空間上におけるＹ軸を基準として、隣接画素のＲＧＢ値を予測する。
【００４５】
つまり、図３に示すように、色差は直線ｌ上で変化するものとし（色差の変化量δｃ）、輝度信号Ｙ軸のＲＧＢ空間上での方向ベクトルをｖとおくと、予測されるＲＧＢ値（予測値）（Ｒ’，Ｇ’，Ｂ’）は、以下に示す（２）式のように推定することができる。
【００４６】
【数２】
2006325154.tif 000004
ここで、δｙは輝度の変化量を示し、ｙ＋δｙは予測の対象画像の輝度に等しい。
【００４７】
ＲＧＢ予測部１３では、上述した（２）式により予測値（Ｒ’，Ｇ’，Ｂ’）を算出し、算出したＲＧＢ値を比較評価部１４に出力する。また、比較評価部１４は、実際の三原色値（復号値）（Ｒ，Ｇ，Ｂ）と予測値（Ｒ’，Ｇ’，Ｂ’）とを用いて、その正当性を評価する。
【００４８】
＜比較評価部１４：評価手法＞
次に、上述した比較評価部１４における評価手法について説明する。比較評価部１４は、ＹＣ−ＲＧＢ変換部１１により得られる実際の三原色値（Ｒ，Ｇ，Ｂ）と、ＲＧＢ予測部１３から得られる予測値（Ｒ’，Ｇ’，Ｂ’）とに基づいて正当性を評価する。
【００４９】
具体的には、例えば、以下に示す（３）式等を用いて正当性を評価し、予測値（Ｒ’，Ｇ’，Ｂ’）又は実際の三原色値（Ｒ，Ｇ，Ｂ）の何れか一方の値を出力する。
【００５０】
【数３】
2006325154.tif 000005
ここで、上述した（３）式において、Ｋは予め設定される閾値である。なお、Ｋの値は任意に設定することができるが、より画像データに対応して正確にＫの値を求める場合、例えばＪＮＤ（Ｊｕｓｔ  Ｎｏｔｉｃｅａｂｌｅ  Ｄｉｆｆｅｒｅｎｃｅ：最小弁別閾）によって求められる閾値を利用することもできる。つまり、ＪＮＤは、心理学上、色等の同種の刺激を変化させたとき、その相違を感知できる最小の刺激差を示すものであり、最小可知差異、丁度可知差異ともいわれる。また、閾値Ｋは、人によって感知できる最小の輝度差が異なるため、例えば平均値を設定してもよい。
【００５１】
つまり、比較評価部１４は、上述した（３）式に示すように、赤、青、黄のそれぞれの原色の差分（Ｒ’−Ｒ，Ｇ’−Ｇ，Ｂ’−Ｂ）により得られる画像情報が、その相違が感知できるほどである場合には、三原色値（Ｒ，Ｇ，Ｂ）を出力し、相違が感知できない程度のものであれば、予測値（Ｒ’，Ｇ’，Ｂ’）を出力する。
【００５２】
上述したように本実施例に示す信号補正装置により、高精度に映像信号又は画像信号を補正することができる。これにより、デジタル符号化方式において、基準とする１つの信号から他の２つの信号の品質を向上させることができる。
【００５３】
なお、上述した実施例では、輝度信号（Ｙ信号）を基準としてＲＧＢへの変換を行っているが、本発明においてはこれに限定されるものではなく、色差信号のＣｂ又はＣｒを基準にしてもよい。また、Ｙ，Ｃｂ，Ｃｒのうち複数を基準としてもよい。
【００５４】
例えば、Ｙ、Ｃｂ、Ｃｒの各信号のうち、画素間の差が大きい信号を基準とすることもできる。なお、一般的に色差信号Ｃｂ，Ｃｒは、輝度信号Ｙと比較してあまり変化が見られない比較的なだらかな画素であるため、Ｃｂ信号，Ｃｒ信号に所定の係数を付加してＹ信号と調整して比較を行うことが好ましい。更に、Ｙ、Ｃｂ、Ｃｒのそれぞれを基準として比較評価を行い、例えばその中で変化量が最も少なかった値（理想とする直線に最も近づいた値）を出力するといった処理を行ってもよい。
【００５５】
＜他の実施例＞
ここで、上述した実施例では、水平隣接間における画素を補正する例について示しているが、本発明における補正手法についてはこれに限定されるものではない。例えば、１つの画素に対して水平、垂直に隣接する４近傍画素を用いて比較評価を行ってもよい。また、１つの画素に対して周囲８方向で隣接する８近傍画素を用いて比較評価を行ってもよい。
【００５６】
なお、上述したように４近傍又は８近傍で画素の補正を行う場合には、例えばそれぞれ４つ又は８つの対応する隣接画素の予測値を算出した後、その予測値の加重平均値を求め、その平均値と実際の三原色値とにおいて比較評価を行うようにしてもよい。また、それぞれの予測値と実際の三原色値との比較評価を行い、評価結果で多かった方の値（同数の場合は、予め設定した方の値）を出力するようにしてもよい。
【００５７】
＜受信装置＞
なお、上述した本発明における信号補正装置１０は、例えば受信装置に設けることができる。これにより、本発明を受信装置の復号処理の後段に構成することで、色差信号の品質の向上が行うことができ、最終的な復号信号の品質向上を実現することができる。ここで、本発明における信号補正装置を有する受信装置の構成例について図を用いて説明する。
【００５８】
図４は、本発明における信号補正装置を有する受信装置の一構成例を示す図である。なお、以下に示す受信装置の受信形態としては、一例としてＭＰＥＧ２の符号化方式からなる映像信号が無線伝送され、その信号を受信して信号を受信者に提供するための形態を示すが、本発明における受信形態はこれに限定されるものではない。
【００５９】
図４に示す受信装置２０は、受信アンテナ２１と、低雑音増幅器２２と、周波数変換部２３と、復調部２４と、ＭＰＥＧ２デコーダ２５と、信号補正装置２６とを有するように構成されている。また、受信装置２０は、表示装置であるモニタ２７と接続されている。
【００６０】
まず、受信装置２０は、送信側から送信された映像信号の電波を受信アンテナ２１で受信する。受信アンテナ２１は、受信した信号を低雑音増幅器２２に出力する。低雑音増幅器２２は、受信アンテナ２１により得られる信号の伝送減衰等を増幅して周波数変換部２３に出力する。周波数変換部２３は、低雑音増幅器２２より得られる信号を周波数変換（ダウンコンバート）して復調部２４に出力する。また、復調部２４は、周波数変換部２３より得られるデジタル変調信号を復調してＭＰＥＧ２デコーダ２５に出力する。
【００６１】
ＭＰＥＧ２デコーダ２５は、復調部２４から得られる復調後のデジタル信号をデコードし、復号信号を信号補正装置２６に出力する。信号補正装置２６は、上述したように入力された信号の補正を行い、補正された映像信号をモニタ２７に出力する。モニタ２７は、信号補正装置２６により補正された映像等を表示する。これにより、ユーザは、本発明における信号補正装置により補正され、画質が向上した画像を視聴することができる。
【００６２】
なお、本発明における信号補正装置は、上述した受信装置に限定されるものではなく、画像処理を行う装置等に設けられていてもよい。
【００６３】
＜信号補正プログラム＞
ここで、本発明における信号補正装置は、上述した専用の装置構成等を用いて本発明における信号補正処理を行うこともできるが、各構成における処理をコンピュータに実行させることができる実行プログラムを生成し、例えば、汎用のパーソナルコンピュータ、ワークステーション等にそのプログラムをインストールすることにより、本発明に係る信号補正処理を実現することができる。
【００６４】
＜ハードウェア構成＞
ここで、本発明における信号補正処理が実行可能なコンピュータのハードウェア構成例について図を用いて説明する。図５は、本発明における信号補正処理が実現可能なハードウェア構成の一例を示す図である。
【００６５】
図５におけるコンピュータ本体には、入力装置３１と、出力装置３２と、ドライブ装置３３と、補助記憶装置３４と、メモリ装置３５と、各種制御を行うＣＰＵ（Ｃｅｎｔｒａｌ  Ｐｒｏｃｅｓｓｉｎｇ  Ｕｎｉｔ）３６と、ネットワーク接続装置３７とを有するよう構成されており、これらはシステムバスＢで相互に接続されている。
【００６６】
入力装置３１は、ユーザが操作するキーボード及びマウス等のポインティングデバイスを有しており、ユーザからのプログラムの実行指示等、各種操作信号を入力する。出力装置３２は、本発明における処理を行うためのコンピュータ本体を操作するのに必要な各種ウィンドウやデータ等を表示するモニタを有し、ＣＰＵ３６が有する制御プログラムにより実行経過や結果等を表示することができる。
【００６７】
ここで、本発明において、コンピュータ本体にインストールされる実行プログラムは、例えば、ＣＤ−ＲＯＭ等の記録媒体３８等により提供される。プログラムを記録した記録媒体３８は、ドライブ装置３３にセット可能であり、記録媒体３８に含まれる実行プログラムが、記録媒体３８からドライブ装置３３を介して補助記憶装置３４にインストールされる。
【００６８】
また、ドライブ装置３３は、本発明に係る実行プログラムを記録媒体３８に記録することができる。これにより、その記録媒体３８を用いて、他の複数のコンピュータに容易にインストールすることができ、容易に信号補正処理を実現することができる。
【００６９】
補助記憶装置３４は、ハードディスク等のストレージ手段であり、本発明における実行プログラムや、コンピュータに設けられた制御プログラム等を蓄積し必要に応じて入出力を行うことができる。
【００７０】
ＣＰＵ３６は、ＯＳ（Ｏｐｅｒａｔｉｎｇ  Ｓｙｓｔｅｍ）等の制御プログラム、及びメモリ装置３５により読み出され格納されている実行プログラムに基づいて、各種演算や各ハードウェア構成部とのデータの入出力等、コンピュータ全体の処理を制御して、信号補正処理における各処理を実現することができる。また、プログラムの実行中に必要な各種情報等は、補助記憶装置３４から取得することができ、また格納することもできる。
【００７１】
ネットワーク接続装置３７は、電話回線やＬＡＮ（Ｌｏｃａｌ  Ａｒｅａ  Ｎｅｔｗｏｒｋ）ケーブル等の通信ネットワーク等と接続することにより、実行プログラムを通信ネットワークに接続されている他の端末等から取得したり、プログラムを実行することで得られた実行結果又は本発明における実行プログラムを他の端末等に提供することができる。
【００７２】
上述したようなハードウェア構成により、特別な装置構成を必要とせず、低コストで上述した信号補正処理を実現することができる。また、プログラムをインストールすることにより、容易に信号補正処理を実現することができる。
【００７３】
次に、実行プログラムにおける処理手順についてフローチャートを用いて説明する。
【００７４】
＜信号補正処理＞
図６は、本発明における信号補正処理手順の一例を示すフローチャートである。なお、後述する処理手順は、すでに符号化信号を復号した信号の補正部分のみを示したものである。また、後述する処理手順は、水平隣接画素の比較により信号の補正を行う例を示すものであるが、本発明における評価対象画素はこれに限定されるものではなく、例えば上述したように４近傍や８近傍画素を用いた比較評価を行ってもよい。
【００７５】
まず、ＹＣ信号における画素を入力し（Ｓ０１）、入力した画素をＲＧＢに変換する（Ｓ０２）。また、水平隣接画素間における予測値と実際の三原色値との比較評価を行うため、ＲＧＢ変換された三原色値を１画素分遅延させる（Ｓ０３）。
【００７６】
次に、Ｓ０３により遅延された三原色値に基づいて隣接する次の画素のＲＧＢ値を予測する（Ｓ０４）。なお、予測手法としては、例えば上述した予測例等を用いることができる。
【００７７】
次に、Ｓ０４の処理により得られる予測値と、Ｓ０２の処理により得られる次の画素の実際の三原色値とで比較評価を行う（Ｓ０５）。ここで、比較評価の結果、予測値と、三原色値との差が許容誤差範囲内であるか否かを判断し（Ｓ０６）、許容誤差範囲内である場合（Ｓ０６において，ＹＥＳ）は、予測値を出力する（Ｓ０７）。
【００７８】
また、予測値と、三原色値との差が許容誤差範囲内でない場合（Ｓ０６において、ＮＯ）は、Ｓ０２で変換した実際の三原色値を出力する（Ｓ０８）。
【００７９】
次に、Ｓ０７又はＳ０８の処理が終了後、信号補正を終了するかを判断し（Ｓ０９）、まだ信号補正を行っていない映像信号が存在する等、信号補正を終了しない場合（Ｓ０９において、ＮＯ）は、Ｓ０１に戻り、対象となる入力された信号の補正を行う。また、信号補正を終了する場合（Ｓ０９において、ＹＥＳ）は、信号補正処理を終了する。
【００８０】
上述した信号補正処理をコンピュータに実行させる信号補正プログラムを生成し、コンピュータ等にインストールして実行することにより、高精度な信号の補正を実現することができる。これにより、デジタル符号化方式において、基準とする１つの信号から他の２つの信号の品質を向上させることができる。
【００８１】
上述したように本発明によれば、映像又は画像に対して高精度な信号の補正を実現することができる。具体的には、非可逆な画像処理を施された映像信号を補正し、輝度信号と色差信号とで表現される映像信号を三原色信号に変換し、三原色信号の統計的性質を用いて輝度信号、色差信号を補正することができる。これにより、デジタル符号化方式において、基準とする１つの信号から他の２つの信号の品質を向上させることができる。
【００８２】
特に符号化処理では、視覚感度の差から、輝度信号を正確に、色差信号を相対的に粗く符号化することによって総合的な復号品質の劣化を抑制する。そのため、輝度信号に比べて色差信号の劣化は大きくなり、信号間の精度に差が生じる。そこで、本発明では、画素の三原色値を輝度信号、色差信号により求め、隣接画素間の輝度差分量から隣接画素の三原色値の予測を行い、実際の隣接画素を変換して得られた三原色値と予測値を比較し、両者が許容誤差範囲であれば、予測値を補正値として出力することで、高精度な信号の補正を実現することができる。
【００８３】
また、本発明における信号補正装置は、例えば受信装置の復号処理の後段に設けることにより，色差信号の品質の向上が行うことができ、最終的な復号信号の品質向上を実現することができる。
【００８４】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００８５】
【図１】本発明における信号補正装置の一構成例を示す図である。
【図２】ＲＧＢ空間上の画素値と輝度軸との関係の一例を示す図である。
【図３】ＲＧＢ空間上の画素値の変化量を説明するための一例の図である。
【図４】本発明における信号補正装置を有する受信装置の一構成例を示す図である。
【図５】本発明における信号補正処理が実現可能なハードウェア構成の一例を示す図である。
【図６】本発明における信号補正処理手順の一例を示すフローチャートである。
【符号の説明】
【００８６】
１０，２６  信号補正装置
１１  ＹＣ−ＲＧＢ変換部
１２  遅延部
１３  ＲＧＢ予測部
１４  比較評価部
２０  受信装置
２１  受信アンテナ
２２  低雑音増幅器
２３  周波数変換部
２４  復調部
２５  ＭＰＥＧ２デコーダ
３１  入力装置
３２  出力装置
３３  ドライブ装置
３４  補助記憶装置
３５  メモリ装置
３６  ＣＰＵ
３７  ネットワーク接続装置
３８  記録媒体
【図１】
2006325154.tif 000006
【図２】
2006325154.tif 000007
【図３】
2006325154.tif 000008
【図４】
2006325154.tif 000009
【図５】
2006325154.tif 000010
【図６】
2006325154.tif 000011